(57)【要約】【課題】本発明の課題は、飲料を飲む際にパッキン部材が鼻などに当たるおそれが低く、飲み口（注ぎ口）の衛生を良好に保つことができると共に、蓋体を開状態とすると同時に飲料を飲むことができる状態にすることができる栓体を提供することにある。【解決手段】本発明に係る栓体２００は、液体通路Ｐｆ、蓋体２２０、開閉機構２４０および弁機構２１６を備える。液体通路は、入口Ｍｉおよび出口Ｍｏを有する。蓋体は、液体通路の出口を覆うために設けられる。開閉機構は、蓋体を開閉する。弁機構は、蓋体の開閉動作に連動して液体通路の入口を開閉する。なお、この弁機構は、蓋体の開閉動作の一部に連動して入口を開閉してもよいし、蓋体の全開閉動作に連動して入口を開閉してもよい。【選択図】図１８
2015134621.tif 000002
【特許請求の範囲】
【請求項１】
入口および出口を有する液体通路と、
前記出口を覆うために設けられる蓋体と、
前記蓋体を開閉する開閉機構と、
前記蓋体の開閉動作に連動して前記入口を開閉する弁機構と
を備える栓体。
【請求項２】
前記弁機構は、弁体と、作動子と、前記作動子が作動されると前記弁体を移動させる弁体移動機構とを有し、
前記作動子は、前記蓋体が全閉状態から全開状態とされる途中で前記蓋体に当接し、前記蓋体と当接してから前記蓋体が全開状態とされるまでの間に作動され、
前記弁体は、前記作動子の作動によって前記入口を開放するように移動させられる
請求項１に記載の栓体。
【請求項３】
前記弁機構は、前記蓋体を閉じる方向に向かって前記作動子を付勢する付勢部材をさらに有し、
前記作動子は、前記蓋体と当接してから前記蓋体が全開状態とされるまでの間に、前記付勢部材の付勢力に逆らって作動される
請求項２に記載の栓体。
【請求項４】
前記蓋体を開状態に保持する保持部をさらに備え、
前記弁機構は、前記保持部によって前記蓋体が開状態に保持されているときに前記入口を開状態に維持し、前記蓋体が前記保持部から解放されたときに前記入口を閉状態とする
請求項１から３のいずれかに記載の栓体。
【請求項５】
請求項１から４のいずれかに記載の栓体と、
前記栓体に装着される容器と
を備える飲料容器。
【発明の詳細な説明】
【技術分野】
【０００１】
本発明は、飲料容器等の栓体に関する。また、本発明は、その栓体を装着した飲料容器にも関する。
【背景技術】
【０００２】
近年、「液体通路を有する栓本体と、栓本体に開閉機構を介して取り付けられる蓋体と、蓋体を栓本体に係止する係止機構とを備えており、蓋体が閉状態とされたときに、蓋体の内側に装着されているパッキン部材によって栓本体の液体通路が閉塞される栓体」を装着した飲料容器（例えば、特開２０１３−２３０８７６号公報等参照）が市販されている。
【０００３】
このような飲料容器は、蓋体の存在により飲み口（注ぎ口）の衛生を良好に保つことができると共に、蓋体を開状態とすると同時に飲料を飲むことができる状態となるため、飲料容器市場で広く受け入れられている。しかし、この型の飲料容器の栓体では蓋体が開状態であるときにパッキン部材が飲み口側に突起する状態となるため、使用者が飲料容器中の液体を飲む際、人によってはパッキン部材が鼻などに当たることがあり、飲みにくいと感じる人もいる。
【０００４】
上述の「飲みにくさ」の問題を解消するために、例えば、栓本体の液体通路の入口（栓本体の飲み口（注ぎ口）の反対側の開口すなわち容器側の開口）を開閉可能にする弁機構を設け、蓋体からパッキン部材を取り除くことが考えられる（例えば、特開平１０−１７４６５８号公報等参照）。
【先行技術文献】
【特許文献】
【０００５】
【特許文献１】特開２０１３−２３０８７６号公報
【特許文献２】特開平１０−１７４６５８号公報
【発明の概要】
【発明が解決しようとする課題】
【０００６】
しかし、栓体をこのように改良した場合、飲料を飲むことができる状態にするためには、蓋体を開状態とした後に、弁機構の操作部材を押して弁体を下方に押し下げることによって液体通路を開放する必要がある。つまり、このような栓体では、飲み口（注ぎ口）の衛生を良好に保つことができるが、飲料を飲むことができる状態にするためには、弁機構の開放操作が余分に必要となってしまう。
【０００７】
本発明の課題は、飲料を飲む際にパッキン部材が鼻などに当たるおそれが低く、飲み口（注ぎ口）の衛生を良好に保つことができると共に、蓋体を開状態とすると同時に飲料を飲むことができる状態にすることができる栓体を提供することにある。
【課題を解決するための手段】
【０００８】
本発明の第１局面に係る栓体は、液体通路、蓋体、開閉機構および弁機構を備える。液体通路は、入口および出口を有する。蓋体は、液体通路の出口を覆うために設けられる。開閉機構は、蓋体を開閉する。弁機構は、蓋体の開閉動作に連動して液体通路の入口を開閉する。なお、この弁機構は、蓋体の開閉動作の一部に連動して入口を開閉してもよいし、蓋体の全開閉動作に連動して入口を開閉してもよい。
【０００９】
この栓体では、液体通路の出口を覆うために、開閉機構により開閉可能な蓋体が設けられる。このため、この栓体は、飲み口（注ぎ口）の衛生を良好に保つことができる。また、この栓体では、蓋体の開閉動作に連動して液体通路の入口が開閉される。このため、この栓体は、蓋体を開状態とすると同時に飲料を飲むことができる状態にすることができると共に、液体通路の出口を開閉させる必要がなく、蓋体にパッキン部材を設けずに済む。したがって、この栓体は、飲料を飲む際にパッキン部材が鼻などに当たるおそれが低く、飲み口（注ぎ口）の衛生を良好に保つことができると共に、蓋体を開状態とすると同時に飲料を飲むことができる状態にすることができる。
【００１０】
本発明の第２局面に係る栓体は第１局面に係る栓体であるが、この栓体において弁機構は、弁体、作動子および弁体移動機構を有する。なお、ここにいう「作動子」とは例えば、スライド片や、押し棒、カム等である。また、この作動子は、蓋が閉まる方向に向かって付勢されていることが好ましい。弁体移動機構は、作動子が作動されると弁体を移動させる。そして、作動子は、蓋体が全閉状態から全開状態とされる途中で蓋体に当接する。また、この作動子は、蓋体と当接してから蓋体が全開状態とされるまでの間に作動される。そして、弁体は、その作動子の作動によって入口を開放するように移動させられる。
【００１１】
この栓体では、蓋体が全閉状態から全開状態とされる途中で作動子が蓋体に当接する。そして、その作動子は、蓋体との当接点から蓋体が全開状態とされるまでの間に蓋体によって作動され、その結果、弁体が入口を開放するように移動させられる。このため、この栓体では、意図せずに蓋体が開状態となった場合であっても直ちに液体通路の入口が開放されることがない。したがって、この栓体を装着した飲料容器は、カバン等に入れて持ち歩くことにつき使用者に安心感を与えることができる。
【００１２】
本発明の第３局面に係る栓体は第２局面に係る栓体であるが、この栓体において弁機構は、付勢部材をさらに有する。付勢部材は、蓋体を閉じる方向に向かって作動子を付勢する。つまり、作動子は、蓋体と当接してから蓋体が全開状態とされるまでの間に、付勢部材の付勢力に逆らって作動される。
【００１３】
この栓体では、作動子が蓋体を閉じる方向に向かって付勢される。このため、この栓体では、使用者が飲料を飲み終わった後に蓋体の拘束を解くことにより、自動的に液体通路の入口を閉塞することができる。このため、この栓体では、例えば、使用者が飲料を飲み終わった後、液体通路を閉塞させ忘れるのを未然に防止することができる。
【００１４】
本発明の第４局面に係る栓体は、第１局面から第３局面のいずれかに係る栓体であって、保持部をさらに備える。保持部は、蓋体を開状態に保持する。なお、この保持部は、逆方向に一定の力をかけることで簡単に保持状態が解除される係止機構であってもよいし、何等かの解除動作を行わないと保持状態が解除されないロック機構であってよい。そして、弁機構は、保持部によって蓋体が開状態に保持されているときに入口を開状態に維持し、蓋体が保持部から解放されたときに入口を閉状態とする。
【００１５】
この栓体では、保持部によって蓋体が開状態に保持されているときに入口が開状態に維持され、蓋体が保持部から解放されたときに入口が閉状態とされる。このため、この栓体では、使用者は、保持部により蓋体を開状態に保持した後、片手で飲料を飲むことができる。
【００１６】
本発明の第５局面に係る飲料容器は、栓体および容器を備える。栓体は、第１局面から第４局のいずれかに係る栓体である。容器には、栓体が装着されている。
【００１７】
この飲料容器には、上述の栓体が装着されている。このため、この飲料容器は、上述の効果を奏することができる。
【図面の簡単な説明】
【００１８】
【図１】本発明の実施の形態に係る飲料容器の外観斜視図である。
【図２】本発明の実施の形態に係る飲料容器の縦断面図である。
【図３】本発明の実施の形態に係る飲料容器の栓体の天面側斜視図である。
【図４】本発明の実施の形態に係る飲料容器の栓体の平面図である。
【図５】本発明の実施の形態に係る飲料容器の栓体の右側面図である。
【図６】本発明の実施の形態に係る飲料容器の栓体の底面側正面側斜視図である。
【図７】本発明の実施の形態に係る飲料容器の栓体の底面側背面側斜視図である。
【図８】図２の栓体部分の拡大図である。
【図９】本体カバーを取り外した状態の栓体の天面側斜視図である。
【図１０】図９の状態の栓体から更に弁体を取り外したときの栓体の分解斜視図である。
【図１１】弁体を取り外した状態の栓体の底面側斜視図である。
【図１２】弁体の斜視図である。
【図１３】蓋体を開いている途中の栓体の平面図である。
【図１４】蓋体を開いている途中の栓体の縦断面図である。
【図１５】蓋体を開いている途中における蓋体と栓体内の弁機構の側面図である。
【図１６】蓋体が全開状態となったときの栓体の天面側斜視図である。
【図１７】蓋体が全開状態となったときの栓体の平面図である。
【図１８】蓋体が全開状態となったときの栓体の縦断面図である。
【図１９】蓋体が全開状態となったときの蓋体と栓体内の弁機構の側面図である。
【図２０】蓋体のロックを解除したときの栓体の天面側斜視図である。
【図２１】蓋体のロックを解除したときの栓体の平面図である。
【図２２】蓋体のロックを解除したときの栓体の縦断面図である。
【発明を実施するための形態】
【００１９】
＜本発明の実施の形態に係る飲料容器の構成＞
本発明の実施の形態に係る飲料容器１００は、図１および図２に示されるように、真空二重容器１１０および栓体２００から構成されている。なお、この飲料容器１００は、図２に示されるように、栓体２００が真空二重容器１１０に螺合されることによって組み立てられている。以下、真空二重容器１１０および栓体２００それぞれについて詳述する。
【００２０】
（１）真空二重容器
真空二重容器１１０は、ステンレス鋼製の容器であって、図１および図２に示されるように、主に、有底の内筒１１１および有底の外筒１１２から形成されている。具体的には、図２に示されるように、内筒１１１と外筒１１２との間に断熱空間ＳＰｔが形成されるように内筒１１１の開口端部と外筒１１２の開口端部とが接合された後、断熱空間ＳＰｔが真空状態とされることにより真空二重容器１１０が形成される。
【００２１】
内筒１１１は、図２に示されるように、主に、内筒側壁部１１１ａ、内筒底壁部１１１ｂ、先端壁部１１１ｃ、雌ネジ部１１１ｄおよびくびれ部１１１ｅから形成されている。内筒側壁部１１１ａは、略円筒形状を呈している。内筒底壁部１１１ｂは、中央部ＣＴが開口側に向かって球面状に盛り上がっており、隅部ＣＲが凹円弧状を呈している。そして、この内筒底壁部１１１ｂは、内筒側壁部１１１ａの下側に位置している。先端壁部１１１ｃは略円筒形状を呈しており、真空二重容器１１０の開口を形成している。くびれ部１１１ｅは、内筒側壁部１１１ａと先端壁部１１１ｃとの間に位置しており、栓体２００が真空二重容器１１０に装着されたときに上側部分が栓体２００のパッキン２１９に当接するように、位置決めされている（図２および図８参照）。
【００２２】
外筒１１２は、図１および図２に示されるように、主に、外筒側壁部１１２ａおよび外筒底壁部１１２ｂから形成されている。外筒側壁部１１２ａは、内筒側壁部１１１ａと同様に略円筒形状を呈している。外筒底壁部１１２ｂは、略円盤形状を呈しており、図１および図２に示されるように外筒側壁部１１２ａの下端部に接合されている。
【００２３】
（２）栓体
栓体２００は、図３〜８に示されるように、主に、栓本体２１０、本体カバー２５０、蓋体２２０およびヒンジ機構部２４０から構成される。以下、これらの要素部品について詳述すると共にこの栓体２００の使用方法およびその動作等について説明する。
【００２４】
（２−１）栓体の要素部品
（２−１−１）栓本体
栓本体２１０は、図３、図５〜９に示されるように、主に、基体部２１１、雄ネジ部２１２および弁機構２１６から構成される。以下、各構成要素について詳述する。
【００２５】
（２−１−１−１）基体部
基体部２１１は、図５〜１１に示されるように、主に、外壁部２１１Ａ、仕切り部２１１Ｂ、通路形成壁部２１１Ｃ、弁体挿入筒部２１１Ｄおよび一対のフランジ部２１１Ｅから形成されている。
【００２６】
外壁部２１１Ａは、円筒形状を呈しており、基体部２１１の外壁を構成している。また、この外壁部２１１Ａの正面側の一部は上方に向かって延びており、通路形成壁部２１１Ｃと共に飲み口を形成している。
【００２７】
フランジ部２１１Ｅは、円弧状の平板部分であって、図９〜１１に示されるように、外壁部２１１Ａの上端の左右部分から外周に向かって広がっている。
【００２８】
通路形成壁部２１１Ｃは、液体通路Ｐｆを形成するための壁部であって、図８〜１１に示されるように、一対の側壁部２１１ａおよび背壁部２１１ｂから構成されている。側壁部２１１ａは、図８〜１１に示されるように、外壁部２１１Ａの正面側部分から背面側に向かって延びている。背壁部２１１ｂは、図８〜１１に示されるように、一方の側壁２１１ａの背面側の辺から他方の側壁２１１ａの背面側の辺まで延びている。すなわち、この通路形成壁部２１１Ｃは、断面略コの字の形状を呈している（図９〜１１参照）。そして、この通路形成壁部２１１Ｃは、外壁部２１１Ａの正面側の一部と共同して略角筒状の囲い壁部を形成している。そして、この囲い壁部の内部空間が液体通路Ｐｆとして利用される。そして、この液体通路Ｐｆには、図８〜１１に示されるように、入口Ｍｉおよび出口Ｍｏが存在している。
【００２９】
弁体挿入筒部２１１Ｄは、径が外壁部２１１Ａの径よりも小さい円筒形状の壁部であって、図８および１１に示されるように、軸が外壁部２１１Ａの軸と一致するように外壁部２１１Ａの内部下側に配置されている。なお、この弁体挿入筒部２１１Ｄの一部は、図１１に示されるように、通路形成壁部２１１Ｃの背壁部２１１ｂと一体化されている。
【００３０】
仕切り部２１１Ｂは、図８〜１１に示されるように、外壁部２１１Ａの内周面の上下方向略中央から通路形成壁部２１１Ｃの外周面および弁体挿入筒部２１１Ｄの上端まで水平に延びる円環板状の部分であって、外壁部２１１Ａの内周面と、通路形成壁部２１１Ｃの外周面とで規定される内部空間を上下２つの空間に仕切っている。なお、ここで、仕切り部２１１Ｂの上側の空間ＳＰｕを「上部空間」と称し、仕切り部２１１Ｂの下側の空間ＳＰｂを「下部空間」と称する。また、ここで、下部空間ＳＰｂには、弁体挿入筒部２１１Ｄが存在することになる（図１１参照）。すなわち、これらの空間ＳＰｕ，ＳＰｂは、図１１に示されるように弁体挿入筒部２１１Ｄの内部空間を介して連通している。そして、この上部空間ＳＰｕには、弁機構２１６の弁機構２１６が収容されている。また、この仕切り部２１１Ｂの背面側すなわちヒンジ機構部側には、図８および図１１に示されるように、上下方向に貫通する空気抜孔Ｐｏ２が形成されている。すなわち、この空気抜孔Ｐｏ２を介して上部空間ＳＰｕと下部空間ＳＰｂとは常に連通している。また、外壁部２１１Ａの背面上側すなわち通路形成壁部配設側の反対側には、図７および図８に示されるように、水平方向に貫通する空気抜孔Ｐｏ１が形成されている。すなわち、この空気抜孔Ｐｏ１を介して外壁部２１１Ａの外の空間と上部空間ＳＰｕとは常に連通している。そして、栓体装着時において外壁部２１１Ａの外の空間は、図８に示されるように、真空二重容器１１０と栓体２００との間に生じる僅かな隙間を介して外部に連通する。このため、真空二重容器１１０の内部空間すなわち飲料貯留空間は、飲料が冷める等の原因によって負圧となっていた場合であっても、弁機構２１６が開状態とされると共に常圧に戻される。
【００３１】
（２−１−１−２）雄ネジ部
雄ネジ部２１２は、図３、図５〜８に示されるように、基体部２１１の外壁部２１１Ａの下部の外周面上に形成されており、真空二重容器１１０（後述）の雌ネジ部１１１ｄと螺合することが可能である（図２および図８参照）。また、この雄ネジ部２１２の下には、図５や図８に示されるように、パッキン２１９が着脱自在に取り付けられている。
【００３２】
（２−１−１−３）弁機構
弁機構２１６は、図８に示されるように、主に、作動子２１６Ａ、弁体２１６Ｂ、揺動部材２１６Ｃ、軸受け部（図示せず）およびねじりバネ（図示せず）から構成されている。
【００３３】
作動子２１６Ａは、図９、図１０および図１５に示されるように、突起部２１６ｓおよびアーム部２１６ｔから形成されている。突起部２１６ｓは、図９、図１０および図１５に示されるように略直方体形状を呈するブロック体であって、図２、図３、図７および図８に示されるように、本体カバー２５０のヒンジ連結部２５４の背面側に形成される開口から後方に向かって突出している。アーム部２１６ｔは、図９、図１０および図１５に示されるように、突起部２１６ｓから左右斜め前方に向かって延びた後に前方に向かって延びている。また、このアーム部２１６ｔは、図１５に示されるように、側面視において先端側部分が下段となる段付き形状とされている。また、このアーム部２１６ｔの先端は、図１５に示されるように、傾斜面とされている。この傾斜面は、図１５に示されるように、前方に向かうに従って上方に傾斜している。そして、この作動子２１６Ａは、揺動部材２１６Ｃの軸部Ｒａ（後述）の外周に配置されるねじりバネによって後方すなわち栓体２００の背面側に向かって付勢されている。
【００３４】
弁体２１６Ｂは、図１２に示されるように、主に、円盤部２１６ｅ、円柱部２１６ｆおよび一対の係合部２１６ｇから形成されている。この円盤部２１６ｅには、上側すなわち円柱部形成側に円環状のパッキン（図示せず）が配設されている。また、この円盤部２１６ｅは、低面視において液体通路Ｐｆの入口Ｍｉを覆っている（図６および図７参照）。そして、この円盤部２１６ｅは、弁体２１６Ｂが作動子２１６Ａ等によって上下動させられると、液体通路Ｐｆの入口Ｍｉを開閉する。さらに具体的に述べると、弁体２１６Ｂがねじりバネ等によって引き上げられると、円盤部２１６ｅ上のパッキンが、外壁部２１１Ａおよび通路形成壁部２１１Ｃの下端に当接して入口Ｍｉを閉塞し、弁体２１６Ｂが作動子２１６Ａ等によって押し下げられると、円盤部２１６ｅ上のパッキンが、外壁部２１１Ａおよび通路形成壁部２１１Ｃの下端から離間して入口Ｍｉを開放する。円柱部２１６ｆは、円盤部２１６ｅの中央から上方に向かって延びている。そして、この円柱部２１６ｆの上側に一対の係合部２１６ｇが配設されている。係合部２１６ｇは、図１２に示されるように、部分円筒形状を呈する部位であって、互いに対向する位置に配設されている。各係合部２１６ｇには、周方向に沿って係合溝Ｇｒが形成されている。なお、係合溝Ｇｒは、図１２に示されるように片側が閉塞されている。また、図１２を参照した場合、手前側に見えている係合溝Ｇｒは、向かって左側が閉塞されているが、反対を向いている奥側の係合部２１６ｆの係合溝は（図示していない）は、透視した場合、向かって右側が閉塞されている。すなわち、各係合部２１６ｇの係合溝Ｇｒは、弁体２１６Ｂの軸を中心として点対称になるように形成されている。
【００３５】
揺動部材２１６Ｃは、図９、図１０、図１１および図１５に示されるように、主に、円筒部Ｃｄ、スライド部Ｓｓ、軸部Ｒａおよび一対の内側突起部Ｉｐから形成される。円筒部Ｃｄは、図９および図１０に示されるように、円筒形状を呈する部位である。そして、この円筒部Ｃｄの内部には、図９に示されるように、弁体２１６Ｂの係合部２１６ｇが挿入される。スライド部Ｓｓは、図９、図１０および図１５に示されるように、円筒部Ｃｄの両脇に一体に成形されている「く」の字状の部位であって、図１５に示されるように水平部Ｐｈおよび傾斜部Ｐｓから形成されている。水平部Ｐｈは、作動子２１６Ａが作動していない状態（蓋体２２０が全開となっていない状態）において、図１５に示されるように、作動子２１６Ａのアーム部２１６ｔの先端側部分の下に位置する。傾斜部Ｐｓは、図１５に示されるように、水平部Ｐｈから前方に向かって上方に傾斜している。そして、この水平部Ｐｈは、作動子２１６Ａが作動していない状態（蓋体２２０が全開となっていない状態）において、図１５に示されるように、上面下端で作動子２１６Ａの先端面と接している。軸部Ｒａは、図９、図１０および図１５に示されるように、円筒部Ｃｄの背面から後方に延びており、軸受け部に回動自在に支持されている。そして、この軸部Ｒａの外周にはねじりバネが配置されており、このねじりバネは、揺動部材２１６Ｃの円筒部Ｃｄを上に引き上げる方向に（揺動部材２１６Ｃを図１５の状態を維持するように）搖動部材２１６Ｃを付勢している。一対の内側突起部Ｉｐは、図１０および図１１に示されるように、円筒部Ｃｄの内周面から円筒部Ｃｄの軸に向かって互いに対向するように突起している。そして、弁体２１６Ｂの係合部２１６ｇの係合溝Ｇｒがこれらの係合ピンＩｐに係合されることによって、弁体２１６Ｂが揺動部材２１６Ｃに取り付けられる。より具体的には、平面視において、係合ピンＩｐを避けるように係合部２１６ｇを揺動部材２１６Ｃの内部に挿入した後、弁体２１６Ｂを反時計方向に向かって回すことによって係合溝Ｇｒが係合ピンＩｐに係合される。
【００３６】
軸受け部は、上部空間ＳＰｕを形成する外壁部２１１Ａに固定的に取り付けられており、揺動部材２１６Ｃの軸部Ｒａを回動自在に支持している。
【００３７】
なお、この弁機構２１６の作動態様については後に詳述する。
【００３８】
（２−１−２）本体カバー
本体カバー２５０は、図３〜７、図１３および図１６に示されるように、主に、一対の立壁部２５１、斜壁部２５２、下部外装部２５３、ヒンジ連結部２５４および天壁部２５５から形成されている。以下、各構成要素について詳述する。
【００３９】
（２−１−２−１）天壁部
天壁部２５５は、図４、図５および図１３に示されるように、平面視において円盤状の部位である。また、この天壁部２５５では、図５に示されるように、後端部が、後方に向かうに従って下方に傾斜している。
【００４０】
（２−１−２−２）立壁部
立壁部２５１は、図１３および図１６に示されるように、液体通路Ｐｆの出口Ｍｆの両脇において、天壁部２５５の上面から略垂直方向に向かって延びる部位である。この立壁部２５１は、図１３に示されるように、平面視において円弧形状を呈している。また、この立壁部２５１は、側面視において栓体２００の正面側から背面側（ヒンジ機構部側の反対側からヒンジ機構部側）に向かうに従って下方に傾斜している（図１６参照）。すなわち、立壁部２５１は、ヒンジ機構部側の反対側（すなわち栓体２００の正面側）が高く、ヒンジ機構部側すなわち背面側に向かうに従って低くなる。そして、各立壁部２５１には、図１６に示されるように、係止爪受容部２５１Ａが形成されている。これらの係止爪受容部２５１Ａには、蓋体２２０の係止部材２３０に形成される一対の前側係止爪２３３（後述）がそれぞれ抜差自在に差し込まれる。
【００４１】
（２−１−２−３）斜壁部
斜壁部２５２は、一部が切り欠かれた略半月状の平板状の部位であって、本体カバー２５０の正面側に位置しており、平面視において栓本体２１０の弁機構２１６を覆い隠している。そして、この斜壁部２５２は、平面視において立壁部２５１の内周縁および通路形成壁部２１１Ｃの外縁で囲まれる部分を覆っている。言い換えると、平面視において、斜壁部２５２の直線部分はヒンジ機構部側すなわち背面側に配置されており、その逆側の部分（半円から一部を切り欠いた形状の部分）はヒンジ機構部２４０の反対側すなわち栓体２００の正面側に配置されている。また、ここで、その切欠き部分は、平面視において通路形成壁部２１１Ｃの形状に一致するように設計されている。また、この斜壁部２５２は、立壁部２５１の上縁に沿って設置されており、側面視において立壁部２５１と同様に栓体２００の正面側から背面側（ヒンジ機構部側の反対側からヒンジ機構部側）に向かうに従って下方に傾斜している（図１６参照）。すなわち、斜壁部２５２は、ヒンジ機構部側の反対側（すなわち栓体２００の正面側）が高く、ヒンジ機構部側すなわち背面側に向かうに従って低くなる。
【００４２】
（２−１−２−４）下部外装部
下部外装部２５３は、図５および図８に示されるように、略切頭円錐形状の部位である。この下部外装部２５３は、栓体２００が真空二重容器１１０に装着された状態において、真空二重容器１１０の外筒の先端部の外側を囲う（図２および図８参照）。
【００４３】
（２−１−２−５）ヒンジ連結部
ヒンジ連結部２５４は、図８に示されるように、天壁部２５５の後端部から上方に向かって延びている。そして、このヒンジ連結部２５４は、後述の通り、蓋体２２０の連結片２４２と共にヒンジ機構部２４０を構成する。なお、このヒンジ連結部２５４には、ヒンジピン（図示せず）が挿通される貫通孔が形成されている。また、このヒンジ連結部２５４には、図３〜５、図７および図８に示されるように、係止突起部２５４ａが設けられている。この係止突起部２５４ａは、図３〜５、図７および図８に示されるように、ヒンジ連結部２５４の背面側から後方に向かって延びている。なお、この係止突起部２５４ａの機能については後に詳述する。
【００４４】
そして、この本体カバー２５０は、図５および図８に示されるように、天壁部２５５の下面と、栓本体２１０の基体部２１１のフランジ部２１１Ｅの上面と面接触させるように栓本体２１０に嵌め込まれる。
【００４５】
（２−１−３）蓋体
蓋体２２０は、図３〜８に示されるように、主に、蓋本体２２１、蓋カバー２２２、一対の連結片２４２および係止部材２３０から構成される。以下、各構成要素について詳述する。
【００４６】
（２−１−３−１）蓋本体
蓋本体２２１は、図１７に示されるように、平面視において略Ｄ字形状（円切片形状）を呈している。なお、栓体２００が閉状態となっているとき、平面視において、蓋本体２２１の円弧部分はヒンジ機構部側の反対側すなわち栓体２００の正面側に位置し、直線部分はヒンジ機構部側すなわち背面側に位置している。また、蓋本体２２１の天壁部２２１ｂは、側面視において、栓体２００の正面側から背面側（ヒンジ機構部側の反対側からヒンジ機構部側）に向かうに従って下方に傾斜しており、立壁部２５１をほぼ隙間なく覆っている。また、蓋本体２２１の側壁部は平面視において、栓本体２１０の液体通路Ｐｆの出口Ｍｏ、斜壁部２５２および立壁部２１５をほぼ隙間なく囲っている。また、蓋本体２２１の円弧部分には一対の窓部（図２０参照）が形成されている。この窓部には、後述する係止部材２３０の前側係止爪２３３が外側から内側に向かって挿通されている。また、この蓋本体２２１には、図１６および図１７に示されるように、コイルバネカバー２２５が取り付けられている。このコイルバネカバー２２５は、係止部材２３０をヒンジ機構部側（栓体２００の背面側）に付勢するコイルバネ２３５を覆っている。また、このコイルバネカバー２２５は、飲料容器１００の使用者が飲料を飲もうとしたときに使用者の鼻に当たらないような高さとなるように設計されている。
【００４７】
（２−１−３−２）蓋カバー
蓋カバー２２２は、図４に示されるように、平面視において略Ｈ字状を呈しており、蓋本体２２１の上面の一部、側面の一部およびヒンジ機構部２４０の側面を覆っている。また、平面視において、蓋カバー２２２の正面側の凹部には係止部材２３０の一部が収容され、蓋カバー２２２の背面側の凹部にはヒンジ機構部２４０の一部が収容される。また、この蓋カバー２２２には、図３〜５、図７および図８に示されるように、作動突起部２２２ａが設けられている。この作動突起部２２２ａは、図３〜５、図７および図８に示されるように、蓋カバー２２２の背面側から後方に向かって延びている。なお、この作動突起部２２２ａの機能については後に詳述する。
【００４８】
（２−１−３−３）連結片
連結片２４２は、図４および図１７に示されるように、蓋本体２２１の後端に形成されており、後述の通り、本体カバー２５０のヒンジ連結部２５４と共にヒンジ機構部２４０を構成する。なお、この連結片２４２には、ヒンジピン（図示せず）が挿通される貫通孔が形成されている。
【００４９】
（２−１−３−４）係止部材
係止部材２３０は、図３〜９に示されるように、主に、本体部２３１、操作凹部２３２、前側係止爪２３３、後側係止爪２３４および係止爪付勢機構（図示せず）から構成されている。
【００５０】
本体部２３１は、正面視において門形状を呈し（図３参照）、平面視において方形の一辺が円弧に置換されている形状を呈している（図４参照）。ところで、正面視において、本体部２３１の中央下には、蓋本体２２１の一部が露出している（図３中の符号２２１ａ参照）。なお、この露出部分２２１ａは、使用者が係止部材２３０をヒンジ機構部側の反対側（すなわち栓体２００の正面側）に引くときの支持部位として利用されることが想定されている。本体部２３１は、蓋本体２２１の天壁部２２１ｂに沿って前後移動することが可能である。すなわち、本体部２３１は、側面視において立壁部２５１の上縁とほぼ平行な方向に沿って前後に移動することが可能である。さらに詳細にいうと、栓本体２１０に対する蓋体２２０の係止が解除されるとき、この本体部２３１は、側面視において斜め上方に向かって移動し、蓋体２２０が栓本体２１０に係止されるとき、この本体部２３１は、側面視において斜め下方に向かって移動する。また、前側係止爪２３３が係止爪受容部２５１Ａに差し込まれているとき、すなわち、蓋体２２０が栓本体２１０に係止されているとき、本体部２３１の天面および外周面、蓋本体２２１の露出部分２２１ａおよび蓋カバー２２２の天面および外周面には段差がなく、蓋体２２０に滑らかな平面および湾曲面が形成されている（図３参照）。その一方、前側係止爪２３３が係止爪受容部２５１Ａから引き抜かれたとき、すなわち、栓本体２１０に対する蓋体２２０の係止が解除されたとき、本体部２３１の天面および外周面が、蓋本体２２１の露出部分２２１ａおよび蓋カバー２２２の天面および外周面よりも上側および正面側に突出し、その結果、本体部２３１の天面および外周面と、蓋本体２２１の露出部分２２１ａおよび蓋カバー２２２の天面および外周面とに段差が生じることになる（図２０〜２２参照）。
【００５１】
操作凹部２３２は、図４に示されるように、平面視において栓体２００の略中央部に位置している。そして、この操作凹部２３２は、側壁部２３２ａおよび傾斜壁部２３２ｂから形成されている。側壁部２３２ａは、係止部材２３０を正面側に移動させるときの力点部位として機能する。なお、係止部材２３０が栓体２００の正面側（ヒンジ機構部側の反対側）に移動させられると、後述の前側係止爪２３３が係止爪受容部２５１Ａから引き抜かれ、栓本体２１０に対する蓋体２２０の係止が解除される。
【００５２】
前側係止爪２３３は、図２１に示されるように、本体部２３１の左右の前壁の裏側面から内側に向かって突起している。また、この前側係止爪２３３は、上述の通り、蓋本体２２１の円弧部分に設けられる一対の窓部に出没可能に挿通されている（図２０〜２２参照）。
【００５３】
後側係止爪２３４は、図８に示されるように、本体部２３１の後端、左右方向中央部に設けられている。この後側係止爪２３４は、蓋体２２０が全開となっていない状態において、図８に示されるように、蓋本体２２１のヒンジ機構部側に形成される開口から突出している。なお、この後側係止爪２３４の機能については後に詳述する。
【００５４】
係止爪付勢機構は、係止部材２３０を栓体２００の背面側（ヒンジ機構部側）に向かって付勢している。具体的には、係止部材２３０がコイルバネ２３５を介して蓋本体２２１に取り付けられることにより係止爪付勢機構が構成されている（図８参照）。
【００５５】
（２−１−４）ヒンジ機構部
ヒンジ機構部２４０は、図４および図１６に示されるように、主に、ヒンジ連結部２５４、一対の連結片２４２およびヒンジピン（図示せず）から構成される。なお、ヒンジ機構部２４０は、連結片２４２の貫通孔とヒンジ連結部２５４の貫通孔とが連通して一つの連続した貫通孔が形成されるようにヒンジ連結部２５４を一対の連結片２４２で挟み込んだ状態で、その貫通孔にヒンジピンが挿通されることにより形成される。
【００５６】
（２−２）栓体の使用方法とその動作態様
先ず、真空二重容器１１０の所望の飲料を注ぎ入れる。
【００５７】
次に、真空二重容器１１０の雌ネジ部１１１ｄに栓体２００の雄ネジ部２１２を螺合することにより真空二重容器１１０に栓体２００を装着して飲料容器１００を完成させる。このとき、パッキン２１９が、真空二重容器１１０のくびれ部１１１ｅの上側部分に当接し、真空二重容器１１０と栓体２００とを水密に保つ（図１、図２および図８参照）。
【００５８】
また、このとき、栓体２００では、係止部材２３０がコイルバネ２３５によって栓体２００の背面側に向かって付勢されて、前側係止爪２３３が立壁部２５１の係止爪受容部２５１Ａに差し込まれた状態すなわち蓋体２２０が閉まっている状態となっていると共に、作動子２１６Ａがねじりバネによって栓体２００の背面側に向かって付勢されて、揺動部材２１６Ｃが上側に引き上げられた状態すなわち弁体２１６Ｂによって液体通路Ｐｆの入口Ｍｉが閉塞される状態となっている。
【００５９】
そして、この飲料容器１００の使用者は、栓体２００のヒンジ機構部２４０の反対側、すなわち正面側が手前になるように容器１１０を把持する。続いて、使用者は、例えば、利き手ではない手の親指の腹で蓋本体２２１の露出部分２２１ａを抑え、利き手の人差し指を操作凹部２３２に差し入れて側壁部２３２ａに当接させ、コイルバネ２３５による付勢力に抗してその人差し指を手前に引く。すると、栓体２００において係止部材２３０が奥側から手前側に移動し（図２０〜２２参照）、その結果、前側係止爪２３３が係止爪受容部２５１Ａから引き抜かれ、栓本体２１０に対する蓋体２２０の係止が解除される。続いて、使用者は、蓋体２２０を上方に持ち上げて後方に向かって回動させる。
【００６０】
そして、そのまま蓋体２２０を後方に回動させていくと、蓋カバー２２２の作動突起部２２２ａが作動子２１６Ａの突起部２１６ｓの背面上端部に当接する（図１３〜１５参照）。なお、このとき、ヒンジ連結部２５４の係止突起部２５４ａは、係止部材２３０の後側係止爪２３４と僅かな隙間を介して対向した状態となる（図１３〜１５参照）。
【００６１】
さらに、そのまま蓋体２２０を下方に向かって押し込んで蓋体２２０を全開状態とすると（図１６〜１９参照）、蓋カバー２２２の作動突起部２２２ａがねじりバネの付勢力に抗して作動子２１６Ａを前方すなわち栓体２００の正面側にスライド移動させると共に、係止部材２３０の後側係止爪２３４がヒンジ連結部２５４の係止突起部２５４ａに当接しながらコイルスプリング２３５の付勢力に抗して蓋体２２０の正面側すなわち蓋本体２２１の露出部分側に僅かに移動し（すなわち、係止部材２３０全体が栓体２００の正面側に僅か移動する）、さらに係止部材２３０の後側係止爪２３４がヒンジ連結部２５４の係止突起部２５４ａに下側まで押し込まれたときに、コイルスプリング２３５の付勢力によって蓋体２２０の背面側すなわちヒンジ機構部側に僅か移動して（すなわち、係止部材２３０全体が栓体２００の背面側に僅か移動する）、係止部材２３０の後側係止爪２３４がヒンジ連結部２５４の係止突起部２５４ａに係止（ロック）された状態となる。
【００６２】
上述の通り、作動子２１６Ａが前方すなわち栓体２００の正面側にスライド移動させられると、図１８および図１９に示されるように、揺動部材２１６Ｃのスライド部Ｓｓによって揺動部材２１６Ｃが軸部Ｒａを中心として下方に向かって回動させられる。すると、揺動部材２１６Ｃの内部に係合されている弁体２１６Ｂが下方に移動させられて、液体弁体２１６Ｂと液体通路Ｐｆの入口Ｍｉとの間に隙間が生じる状態すなわち液体通路Ｐｆの入口Ｍｉが開放されて液体通路Ｐｆと真空二重容器１１０の内部空間とが連通する状態となる。
【００６３】
そして、使用者は、飲み口に口を付け、飲料容器１００を上に持ちあげつつ傾けて飲料を飲む。なお、このとき、係止部材２３０は、係止爪付勢機構により元の位置に戻されている（図１６〜１９参照）。
【００６４】
また、蓋体２２０を閉状態とするとき、使用者は、先ず、図２０〜２２に示されるように、コイルスプリング２３５の付勢力に抗して係止部材２３０を蓋体２２０の正面側すなわち蓋本体２２１の露出部分側に移動させて、ヒンジ連結部２５４の係止突起部２５４ａに対する係止部材２３０の後側係止爪２３４の係止状態（ロック状態）を解除する。そして、使用者は、この解除状態を保ちながら蓋体２２０を少し上方に持ち上げる。すると、蓋カバー２２２の作動突起部２２２ａによる作動子２１６Ａの突起部２１６ｓへの押圧力がなくなって、ねじりバネの付勢力により作動子２１６Ａが後方すなわち栓体２００の背面側に向かってスライド移動させられ、その結果、揺動部材２１６Ｃが上側に引き上げられた状態すなわち弁体２１６Ｂによって液体通路Ｐｆの入口Ｍｉが閉塞される状態となる。
【００６５】
使用者は、その状態から蓋体２２０を前方に回動させてそのまま蓋体２２０を栓本体２１０に押し込む。すると、前側係止爪２３３が係止爪受容部２５１Ａの上部に当接しながら下方手前にスライドし、最後に係止爪受容部２５１Ａに前側係止爪２３３が差し込まれる。その結果、栓本体２１０に対して蓋体２２０が係止される。
【００６６】
＜本発明の実施の形態に係る栓体の特徴＞
（１）
本発明の実施の形態に係る栓体２００では、液体通路Ｐｆの出口Ｍｏを覆うために、ヒンジ機構部２４０により開閉可能な蓋体２２０が設けられている。このため、この栓体２００は、飲み口（注ぎ口）の衛生を良好に保つことができる。また、この栓体２００では、蓋体２２０が全開状態となったときに液体通路Ｐｆの入口Ｍｉが開放され、全開状態以外の状態となったときに液体通路Ｐｆの入口Ｍｉが弁体２１６Ｂによって閉塞される。このため、この栓体２００は、蓋体２２０を全開状態とすると同時に飲料を飲むことができる状態にすることができる。したがって、この栓体２００は、飲み口（注ぎ口）の衛生を良好に保つことができると共に、蓋体２２０を全開状態とすると同時に飲料を飲むことができる状態にすることができる。
【００６７】
（２）
本発明の実施の形態に係る栓体２００では、弁機構２１６が液体通路Ｐｆの入口Ｍｉを開閉するため、蓋体２２０にパッキン部材を設けられていない。したがって、この栓体２００は、使用者が飲料を飲む際にパッキン部材が鼻などに当たるおそれが低い。
【００６８】
（３）
本発明の実施の形態に係る栓体２００では、蓋体２２０が全閉状態から全開状態とされる途中で作動子２１６Ａの突起部２１６ｓが蓋カバー２２２の作動突起部２２２ａと当接する。そして、その作動子２１６Ａは、蓋カバー２２２の作動突起部２２２ａとの当接点から蓋体２２０が全開状態とされるまでの間に蓋カバー２２２の作動突起部２２２ａによって作動され、その結果、弁体２１６Ｂが液体通路Ｐｆの入口Ｍｉを開放するように移動させられる。このため、この栓体２００では、意図せずに蓋体２２０が開状態となった場合であっても直ちに液体通路Ｐｆの入口Ｍｉが開放されることがない。したがって、この栓体２００を装着した飲料容器１００は、カバン等に入れて持ち歩くことにつき使用者に安心感を与えることができる。
【００６９】
（４）
本発明の実施の形態に係る栓体２００では、作動子２１６Ａが栓体２００の背面側すなわちヒンジ機構部側に向かって付勢されている。このため、この栓体２００では、使用者が飲料を飲み終わった後に蓋体２２０の係止（ロック）を解除することにより、自動的に液体通路Ｐｆの入口Ｍｉを閉塞することができる。このため、この栓体２００では、例えば、使用者が飲料を飲み終わった後、液体通路Ｐｆを閉塞させ忘れるのを未然に防止することができる。
【００７０】
（５）
本発明の実施の形態に係る栓体２００では、係止部材２３０の後側係止爪２３４によって蓋体２２０が全開状態にロックされているときに液体通路Ｐｆの入口Ｍｉが開状態に維持され、蓋体２２０のロックが解除されたときに液体通路Ｐｆの入口Ｍｉが閉状態とされる。このため、この栓体２００では、使用者は、係止部材２３０の後側係止爪２３４により蓋体２２０を全開状態にロックした後、片手で飲料を飲むことができる。
【００７１】
（６）
本発明の実施の形態に係る栓体２００には、弁機構２１６が開状態となった際に真空二重容器１１０の飲料貯留空間と外部空間とを連通させる空気抜孔Ｐｏ１，Ｐｏ２が形成されている。このため、この栓体２００を装着した飲料容器１００では、飲料が冷める等の原因によって真空二重容器１１０の飲料貯留空間が負圧となっていた場合であっても、弁機構２１６が開状態とされると共に常圧に戻される。このため、この栓体２００は、このような場合であっても、真空二重容器１１０中の液体をスムーズに液体通路Ｐｆを介して吐出させることができると共に、真空二重容器１１０から栓体２００を容易に取り外すことができる。
【００７２】
＜変形例＞
（Ａ）
先の実施の形態では容器として真空二重容器１１０が採用されていたが、容器は特に限定されず、例えば、通常の単壁の容器であってもよい。また、先の実施の形態では容器の素材としてステンレス鋼が採用されていたが、容器の素材は、ステンレス鋼以外の合金、樹脂等であってもよい。
（Ｂ）
先の実施の形態では特に言及しなかったが、蓋体２２０が上方向に付勢されていてもよい。なお、かかる場合、ヒンジ機構部２４０に更にコイルバネ等の弾性部材を設ければよい。
【００７３】
（Ｃ）
先の実施の形態では特に言及しなかったが、さらに安全ロック機構が設けられてもよい。なお、このような安全ロック機構としては、例えば、係合部材２３０の正面部分を蓋本体２２１の露出部分２２１ａに係止させるものが考えられる。
【００７４】
（Ｄ）
先の実施の形態に係る栓体２００ではコイルバネ２３５により係止部材２３０が栓体２００の背面側すなわちヒンジ機構部側に向かって付勢されていたが、係止部材２３０は付勢されなくてもよい。なお、かかる場合、別途、変形例（Ｃ）において提案されているような安全ロック機構が設けられることが好ましい。
【００７５】
（Ｅ）
先の実施の形態に係る栓体２００では正面視において本体部２３１の中央下に蓋本体２２１の一部が露出していたが、この露出部分２２１ａが係止部材２３０の本体部２３１に完全に覆われてもかまわない。
【００７６】
（Ｆ）
先の実施の形態に係る栓体２００では操作部（操作凹部２３２）が凹部として形成されていたが、操作部は凸部として形成されてもよい。なお、かかる場合、別途、変形例（Ｃ）において提案されているような安全ロック機構が設けられることが好ましい。
【００７７】
（Ｇ）
先の実施の形態では特に言及しなかったが、栓体２００は、容器１１０に固定的に取り付けられてもよい。
【００７８】
（Ｈ）
先の実施の形態に係る栓体２００では栓本体２１０に対する蓋体２２０の係止が解除されるとき、係止部材２３０が側面視において斜め上方に向かって移動し、蓋体２２０が栓本体２１０に係止されるとき、係止部材２３０が側面視において斜め下方に向かって移動したが、栓本体２１０に対する蓋体２２０の係止が解除されるとき及び蓋体２２０が栓本体２１０に係止されるとき共に、係止部材２３０が側面視において水平方向に沿って移動してもよい。なお、かかる場合、使用者は係止部材２３０を手前に引いた状態で蓋体２２０を閉状態としなければならないことが想定される。
【００７９】
（Ｉ）
先の実施の形態に係る栓体２００では、栓本体２１０に対する蓋体２２０の係止が解除される際、平面視において係止部材２３０がヒンジ機構部側と反対側にスライド移動されたが、平面視において係止部材２３０がヒンジ機構部側にスライド移動されることにより、栓本体２１０に対する蓋体２２０の係止が解除されてもよい。なお、かかる場合、レバー機構やリンク機構等を利用して係止部材２３０の移動方向と逆方向に移動する部材を設け、その部材に前側係止爪２３３を取り付けておくことが好ましい。このようにすれば、係止爪の移動方向を先の実施の形態に係る前側係止爪２３３の移動方向と同一にすることができるからである。
【００８０】
（Ｊ）
先の実施の形態に係る栓体２００では液体通路Ｐｆを形成する壁の形状が角筒形状であったが、同壁の形状は特に限定されず円筒形状であってもかまわない。
【００８１】
（Ｋ）
先の実施の形態に係る栓体２００では弁体２１６Ｂを反時計方向に向かって回したときに係合部２１６ｇの係合溝Ｇｒが係合ピンＩｐに係合されるように係合溝Ｇｒが設計されていたが、係合溝Ｇｒは、弁体２１６Ｂを時計方向に回したときに係合ピンＩｐに係合されるように設計されてもよい。
【００８２】
（Ｌ）
先の実施の形態に係る栓体２００では弁機構２１６において作動子２１６Ａが栓体２００の前後方向にスライド移動するように構成されていたが、作動子が栓体２００の上下方向に移動するように構成されてもよい。かかる場合、蓋カバー２２２の作動突起部２２２ａを作動子の天面に当接させる必要がある。また、かかる場合、作動子が揺動部材２１６Ｃの円筒部Ｃｄに当接するように作動子を配設するか、作動子を揺動部材２１６Ｃの円筒部Ｃｄと一体化させて、作動子が円筒部Ｃｄを直接押し下げるようにすればよい（すなわち、スライド部Ｓｓが不要となる）。また、このとき、揺動部材２１６Ｃは、付勢部材によって上側に向かって付勢される。
【００８３】
（Ｍ）
先の実施の形態に係る栓体２００では蓋体２２０がヒンジ機構部２４０によって回動するように構成されていたが、蓋体は栓体の前後方向にスライド移動するように構成されてもよい。かかる場合、例えば、蓋体の後端面を、後方に向かうに従って上方に傾斜する傾斜面とすると共に、作動子の突起部の前端面を、前方に向かうに従って下方に傾斜する傾斜面としておけば、蓋体が作動子に向かってスライド移動したときに、蓋体によって作動子を下方に押し込むことができ、上記変形例（Ｌ）に記載のように作動子によって円筒部Ｃｄを直接押し下げることができる。また、かかる場合、蓋体に孔を形成し、下方に付勢される棒部材を前後に一つずつ設けて、蓋体を閉状態と開状態でロックするようにすることが考えられる。
【００８４】
（Ｎ）
先の実施の形態に係る栓体２００では蓋体２２０が全開状態に近くなった状態になって初めて蓋カバー２２２の作動突起部２２２ａが作動子２１６Ａの突起部２１６ｓの背面上端部に当接したが、全閉状態のときに蓋カバー２２２の作動突起部２２２ａが作動子２１６Ａの突起部２１６ｓの背面上端部に当接するようにしてもよい。なお、かかる場合、全閉状態となっている蓋体２２０の連結片２４２の直後に、作動子２１６Ａがその連結片２４２に接触するように作動子２１６Ａを配置することが考えられる。このようにすれば、蓋体２２０が全閉状態から全開状態に至るまで連続して徐々に弁機構２１６を開けることができる。
【００８５】
（Ｏ）
先の実施の形態に係る栓体２００では蓋体２２０の内側にパッキン部材が設けられていなかったが、本発明の主旨を損なわない範囲で蓋体２２０の内側にパッキン部材が設けられてもよい。例えば、コイルバネカバー２２５の上に薄肉のゴムパッキン部材が張り付けられてもよい。
【００８６】
（Ｐ）
先の実施の形態に係る栓体２００では作動子２１６Ａの突起部２１６ｓが本体カバー２５０のヒンジ連結部２５４の背面側に形成される開口から後方に向かって突出していたが、作動子２１６Ａは、本体カバー２５０の内部に収容されていてもよい。このようにすれば、不用意に作動子２１６Ａが押圧されることを防ぐことができる。なお、かかる場合、蓋カバー２２２の作動突起部２２２ａを延ばして、上記開口に作動突起部２２２ａを挿入させることによって作動子２１６Ａをスライド移動させることになる。
【００８７】
（Ｑ）
先の実施の形態に係る栓体２００では蓋体２２０の全開時において係止部材２３０の後側係止爪２３４がヒンジ連結部２５４の係止突起部２５４ａにロックされたが、係止部材２３０の後側係止爪２３４がヒンジ連結部２５４の係止突起部２５４ａに単純に引っ掛かるようにしてもよい。このようにすれば、使用者が少し係止部材２３０に対して栓体２００の正面側に少し力を加えるだけでその係止状態が解除されるため、使用者が係止部材２３０の後側係止爪２３４のロック解除操作を行う手間を省くことができる。
【００８８】
（Ｒ）
先の実施の形態に係る栓体２００では作動子２１６Ａと揺動部材２１６Ｃとが別体とされたが、作動子２１６Ａと揺動部材２１６Ｃとをユニット化してもよい。
【符号の説明】
【００８９】
１００      飲料容器
２２０      蓋体
２４０      ヒンジ機構部（開閉機構）
２１６      弁機構
２００      栓体
２１６Ａ    作動子
２１６Ｂ    弁体
２１６Ｃ    弁体開閉機構（弁体移動機構）
２３４      後側係止爪（保持部）
１１０      真空二重容器（容器）
Ｍｉ        入口
Ｍｏ        出口
Ｐｆ        液体通路
【図１】
2015134621.tif 000003
【図２】
2015134621.tif 000004
【図３】
2015134621.tif 000005
【図４】
2015134621.tif 000006
【図５】
2015134621.tif 000007
【図６】
2015134621.tif 000008
【図７】
2015134621.tif 000009
【図８】
2015134621.tif 000010
【図９】
2015134621.tif 000011
【図１０】
2015134621.tif 000012
【図１１】
2015134621.tif 000013
【図１２】
2015134621.tif 000014
【図１３】
2015134621.tif 000015
【図１４】
2015134621.tif 000016
【図１５】
2015134621.tif 000017
【図１６】
2015134621.tif 000018
【図１７】
2015134621.tif 000019
【図１８】
2015134621.tif 000020
【図１９】
2015134621.tif 000021
【図２０】
2015134621.tif 000022
【図２１】
2015134621.tif 000023
【図２２】
2015134621.tif 000024